(57)【要約】【課題】靴を履いた状態のまま、どこにも靴を引っ掛けることなく、手間なく容易に着脱可能な使い勝手の良い雨合羽のズボンを提供する。【解決手段】雨合羽のズボン本体２は、身体の腰元付近から股付近までを収容可能な筒状の股上胴部３と、該股上胴部３から二股に分岐して身体の脚部を収容可能な筒状の股下脚部４と、を具備し、かつ、ズボン本体２の左右外側面には、股上胴部３の最上部腰元Ｗから股下脚部４の最下部足元Ｆに達する線状ファスナ５が設けられていて、該線状ファスナ５の開操作により、最上部腰元Ｗから最下部足元Ｆまでの全範囲が全開になる。【選択図】図１
2015074843.tif 000002
【特許請求の範囲】
【請求項１】
雨合羽のズボンであって、
前記ズボンのズボン本体は、身体の腰元付近から股付近までを収容可能な筒状の股上胴部と、該股上胴部から二股に分岐して身体の脚部を収容可能な筒状の股下脚部と、を具備し、かつ、前記ズボン本体の左右外側面には、前記股上胴部の最上部腰元から前記股下脚部の最下部足元に達する線状ファスナが設けられていて、該線状ファスナの開操作により、前記最上部腰元から前記最下部足元までの全範囲が全開になること
を特徴とする雨合羽のズボン。
【請求項２】
前記線状ファスナは、その下端部がピンとボックスにより分離可能に係合するオープンエンド構造、及び、１つのスライダにより線状ファスナ務歯部を開閉する構造になっていて、前記線状ファスナの下端部まで前記スライダを降ろしたときに、前記線状ファスナ務歯部が開き、かつ、前記ピンとボックスの係合が解除されることで、前記雨合羽のズボンは、その股上胴部の最上部腰元から股下脚部の最下部足元までの全範囲が全開になること
を特徴とする請求項１に記載の雨合羽のズボン。
【請求項３】
前記股上胴部の両側には、前記線状ファスナと交差可能な帯体が設けられており、
前記各帯体は、それぞれの一端部が前記股上胴部に固定され、それぞれの他端部が面ファスナを介して前記股上胴部に着脱自在に取付けられることにより、前記股上胴部を身体の腰元付近に締付け固定する手段、および、その締付け固定時に、前記帯体の裏面側に前記ファスナの引手が潜り込む形態となることにより、当該引手のバタつきを防止する手段として機能すること
を特徴とする請求項１又は２に記載の雨合羽のズボン。
【発明の詳細な説明】
【技術分野】
【０００１】
本発明は、例えばゴルフ、登山、釣り、その他の各種アウトドア活動において着用される雨合羽のズボンに関し、特に、靴を履いた状態のまま、どこにも靴を引っ掛けることなく、簡単かつ容易に着脱可能で使い勝手の向上を図ったものである。
【背景技術】
【０００２】
従来、ゴルフ、登山、釣り、その他の各種アウトドア活動では、雨天の際に、雨合羽を利用している。この種の雨合羽としては上着とズボンの組合せからなるものがあり、そのズボン本体は、雨合羽ではない通常のズボンと同じく、身体の腰元付近から股付近までを収容可能な筒状の股上胴部と、該股上胴部から二股に分岐して身体の脚部を収容可能な筒状の股下脚部と、を備えた構造になっている。
【０００３】
しかしながら、前記のような構造からなる従来の雨合羽のズボンによると、股上胴部や股下脚部が通常のズボンと同じく筒状の形態になっているため、着用時や脱ぐ時に、筒状の股下脚部に足を通さなければならず、その際、靴が股下脚部の内側に引っ掛かってしまい、簡単かつ容易に雨合羽のズボンを着脱できない。特にゴルフシューズなどのように靴の裏面にスパイクが取り付けられている場合は、当該スパイクが股下脚部の内側に引っ掛かることがよくある。
【０００４】
この種の雨合羽のズボンとして、特許文献１では『使い捨てズボンカバー』を開示している。また、特許文献２では『下半身雨カバー』を開示している。
【０００５】
しかしながら、特許文献１に開示の『使い捨てズボンカバー』は、同文献１の図３に図示の通り、胴周り部（１０）と一対の脚周り部（２０）がそれぞれ別個独立に開いた構造になっており、その着用時には、前記のように開いている胴周り部（１０）を閉じ、これとは別に更に、前記のように開いている一対の脚周り部（２０）をそれぞれ個別に閉じる２作業が必要になり、このように閉じるだけの作業に合計で３作業も要し、手間なく容易に着脱することができない。
【０００６】
特許文献２に開示の『下半身雨カバー』もまた、同文献２の図３および図４を参照すると、特許文献１に開示の『使い捨てズボンカバー』と同じく、閉じるだけの作業に３作業を要し、手間なく容易に着脱することができない。
【０００７】
なお、前記カッコ内の符号は特許文献１で用いられている符号である。
【先行技術文献】
【特許文献】
【０００８】
【特許文献１】特開２０１０−１４４２６５号公報
【特許文献２】実用新案登録第３１６４２０７号公報
【発明の概要】
【発明が解決しようとする課題】
【０００９】
本発明は、前記問題点を解決するためになされたもので、その目的とするところは、靴を履いた状態のまま、どこにも靴を引っ掛けることなく、手間なく容易に着脱可能な使い勝手の良い雨合羽のズボンを提供することにある。
【課題を解決するための手段】
【００１０】
前記目的を達成するために、本発明は、雨合羽のズボンであって、前記ズボンのズボン本体は、身体の腰元付近から股付近までを収容可能な筒状の股上胴部と、該股上胴部から二股に分岐して身体の脚部を収容可能な筒状の股下脚部と、を具備し、かつ、前記ズボン本体の左右外側面には、前記股上胴部の最上部腰元から前記股下脚部の最下部足元に達する線状ファスナが設けられていて、該線状ファスナの開操作により、前記最上部腰元から前記最下部足元までの全範囲が全開になることを特徴とする。
【００１１】
前記本発明において、前記線状ファスナは、その下端部がピンとボックスにより分離可能に係合するオープンエンド構造、及び、１つのスライダにより線状ファスナ務歯部を開閉する構造になっていて、前記線状ファスナの下端部まで前記スライダを降ろしたときに、前記線状ファスナ務歯部が開き、かつ、前記ピンとボックスの係合が解除されることで、前記雨合羽のズボンは、その股上胴部の最上部腰元から股下脚部の最下部足元までの全範囲が全開になることを特徴としてもよい。
【００１２】
前記本発明において、前記股上胴部の両側には、前記線状ファスナと交差可能な帯体が設けられており、前記各帯体は、それぞれの一端部が前記股上胴部に固定され、それぞれの他端部が面ファスナを介して前記股上胴部に着脱自在に取付けられることにより、前記股上胴部を身体の腰元付近に締付け固定する手段、および、その締付け固定時に、前記帯体の裏面側に前記ファスナの引手が潜り込む形態となることにより、当該引手のバタつきを防止する手段として機能することを特徴としてもよい。
【発明の効果】
【００１３】
本発明では、雨合羽のズボンの具体的な構造として、前記の通り、ズボン本体の左右外側面には、股上胴部の最上部腰元から股下脚部の最下部足元に達する線状ファスナが設けられていて、該線状ファスナの開操作により、前記最上部腰元から前記最下部足元までの全範囲が全開になる構成を採用した。このため、当該雨合羽のズボンを着用したり脱いだりするときに、かかる雨合羽のズボンは、その左右両側において、腰元から足元までの全範囲が全開になる、つまり、筒状の股上胴部や筒状の股下脚部は完全に展開した状態になり、その股上胴部や股下脚部において筒状の形態部分は少しも存在しないから、靴を履いた状態のまま、どこにも靴を引っ掛けることなく、手間なく容易に当該雨合羽のズボンを着脱することができ、使い勝手の良い雨合羽のズボンを提供し得る。
【００１４】
また、本発明に係る雨合羽のズボンは、２作業、具体的には、ズボン本体の左外側面に設けられている線状ファスナを開閉する作業と、ズボン本体の右外側面に設けられている線状ファスナを開閉する作業とを行うだけで、着脱可能であり、このように着脱時の作業は２作業だけで済むから、着脱に手間がかからず、この点でも使い勝手が良い。
【図面の簡単な説明】
【００１５】
【図１】（ａ）は本発明の第１の実施形態である雨合羽のズボンの斜視図、（ｂ）はそのズボンの着脱時の説明図。
【図２】（ａ）は本発明の第２の実施形態である雨合羽のズボンの斜視図、（ｂ）はそのズボンの着脱時の説明図。
【図３】（ａ）は図１（ａ）又は図２（ａ）の雨合羽のズボンで採用した線状ファスナの正面図、（ｂ）はその線状ファスナの下端部の拡大図（線状ファスナが開いた状態）。
【図４】図３（ａ）に示した線状ファスナとはその開閉構造が異なる別の線状ファスナの構造の説明図。
【発明を実施するための最良の形態】
【００１６】
以下、本発明を実施するための最良の形態について、添付した図面を参照しながら詳細に説明する。
【００１７】
図１（ａ）は本発明の第１の実施形態である雨合羽のズボンの斜視図、同図（ｂ）はそのズボンの着脱時の説明図である。
【００１８】
図１（ａ）の雨合羽のズボン（以下「雨合羽ズボン１」という）は、例えばゴルフ、登山、釣り、その他の各種アウトドア活動において着用することができるものであって、その雨合羽ズボン１のズボン本体２は、同図（ａ）に示したように、身体の腰元付近から股付近までを収容可能な筒状の股上胴部３と、股上胴部３から二股に分岐して身体の脚部を収容可能な筒状の股下脚部４と、を具備している。雨合羽ズボン１の構成素材は防水性素材であればよく、その種類は問わない。
【００１９】
前記ズボン本体２の左右外側面には、股上胴部３の最上部腰元Ｗから股下脚部４の最下部足元Ｆに達する線状ファスナ５が設けられており、かかる線状ファスナ５の開操作により、図１（ａ）の雨合羽ズボン１は、同図（ｂ）に示したように、その左右外側において、最上部腰元Ｗから最下部足元Ｆまでの全範囲が全開になるように構成してある。なお同図（ｂ）では、右足側だけが最上部腰元Ｗから最下部足元Ｆまでの全範囲が全開になった状態を図示しているが、左足側も同様に全開になる。
【００２０】
前記線状ファスナ５は、具体的には、図３（ａ）（ｂ）に示したように、その下端部Ｅがピン５１とボックス５２により分離可能に係合するオープンエンド構造、及び、１つのスライダ５３により線状ファスナ務歯部５４を開閉する構造になっている。
【００２１】
図３（ａ）において、線状ファスナ５の下端部Ｅまでスライダ５３を下降させると、線状ファスナ務歯部５４の噛み合い、及び、ピン５１とボックス５２の係合が解除されることにより、線状ファスナ５は図３（ｂ）のように開となり、図１（ａ）の雨合羽ズボン１は、前述の通り、その左右外側において、股上胴部３の最上部腰元Ｗから股下脚部４の最下部足元Ｆまでの全範囲が全開になる。
【００２２】
次に、図１（ａ）の雨合羽ズボン１を着用する方法と脱ぐ方法について説明する。
【００２３】
図１（ａ）の雨合羽ズボン１を着用する際は、同図（ａ）のように閉じている線状ファスナ５を開く。この開く操作は、線状ファスナ５の上端部Ｕ（股上胴部３の最上部腰元Ｗ付近）に位置するスライダ５３の引手５５を持って、当該スライダ５３を線状ファスナ５の下端部Ｅまで下降させる。
【００２４】
前記のようにスライダを線状ファスナ５の下端部Ｅまで下降させると、線状ファスナ務歯部５４の噛み合い、及び、ピン５１とボックス５２の係合が解除され、図１（ａ）の雨合羽ズボン１は、その左右両側において、図１（ｂ）のように腰元から足元までの全範囲が全開になる、つまり、筒状の股上胴部３や筒状の股下脚部４が完全に展開した状態になる。
【００２５】
その後は、前記のように展開している股下脚部４の最下部足元Ｆを身体の足首付近に当て、かつ、線状ファスナ５のボックス５２とピン５１を結合させる。そして、線状ファスナ５の引手５５を持って、スライダ５３を線状ファスナ５の上端部Ｕ（股上胴部３の最上部腰元Ｗ付近）まで上昇させる。これにより、線状ファスナ５は閉じ、以上で、雨合羽ズボン１の着用は完了する。
【００２６】
図１（ａ）の雨合羽ズボン１によると、その着用の際は、前述の通り、筒状の股上胴部３や筒状の股下脚部４が完全に展開した状態になり、股上胴部３や股下脚部４のどこにも筒状の形態部分は残らない。したがって、雨合羽ズボン１を着用するときに、そのような筒状の形態部分に身体の脚や靴を通すことがないから、筒状の形態部分に靴を引っ掛けることもなく、よって、手間なく容易に雨合羽ズボン１を着用することができる。
【００２７】
以上のように着用した雨合羽ズボン１を脱ぐ際は、図１（ａ）のように閉じている線状ファスナ５を開く。この開く操作は先に説明した通りである。かかる線状ファスナ５を開くと、着用している雨合羽ズボン１は、その左右両側において、図１（ｂ）のように腰元から足元までの全範囲が全開になる、つまり、筒状の股上胴部３や筒状の股下脚部４が完全に展開した状態になり、股上胴部３や股下脚部４のどこにも筒状の形態部分は何も残らない。したがって、雨合羽ズボン１を脱ぐときも、そのような筒状の形態部分に身体の脚や靴を通すことがないから、筒状の形態部分に靴を引っ掛けることもなく、よって、手間なく容易に雨合羽ズボン１を脱ぐことができる。
【００２８】
図４は、図３（ａ）に示した線状ファスナとはその開閉構造が異なる別の線状ファスナの構造の説明図である。
【００２９】
この図４の線状ファスナは、２つのスライダ５３、５３を備え、これら２つのスライダ５３、５３の操作によって線状ファスナ務歯部５４を噛み合わせたりその噛み合わせを解除したりする構造になっている。
【００３０】
ところで、この図４の線状ファスナを本実施形態の雨合羽ズボン１における線状ファスナ５として採用した場合は、その構造上、図４に示したように、２つのスライダ５３、５３を互いに近づける操作で当該線状ファスナを開いたときに、線状ファスナ務歯部５４の噛み合いが解除されない部位（以下「未開部Ｎ」という）が必ず生じる。この未開部Ｎが例えば股下脚部４に生じると、未開部Ｎ付近では股下脚部４が筒状の形態になってしまうことから、そのような筒状の形態部分（未開部Ｎ付近）に進退の脚や靴を通さなければならず、その筒状の形態部分に靴が引っ掛かるおそれがある。従って、図４の線状ファスナを採用した雨合羽ズボンは、あまり使い勝手が良いものとは言えない。
【００３１】
一方、線状ファスナ５として図３の線状ファスナ５を採用した本実施形態の雨合羽ズボン１にあっては、線状ファスナ５の下端部Ｅまでスライダ５３を下降させると、線状ファスナ務歯部５４の噛み合い、及び、ピン５１とボックス５２の係合が解除されることにより、前述のように、雨合羽ズボン１の左右外側において、股上胴部３の最上部腰元Ｗから股下脚部４の最下部足元Ｆまでの全範囲が全開になり、雨合羽ズボン１の左右外側で前記のような未開部Ｎが生じることはない。よって、雨合羽ズボン１の着脱時に靴が引っ掛かるおそれはなく、使い勝手が良いものである。
【００３２】
図２は、本発明の第２の実施形態である雨合羽のズボンの斜視図、同図（ｂ）はそのズボンの着脱時の説明図である。なお、この図２の雨合羽ズボン１において、図１の雨合羽ズボン１と同一の部材には同一の符号を付し、その詳細説明は省略する。
【００３３】
図２の雨合羽ズボン１には、その股上胴部３の両側に、線状ファスナ５と交差可能な帯体６が設けられている。
【００３４】
前記各帯体６は、それぞれの一端部が股上胴部３に固定され、それぞれの他端部が面ファスナ７を介して股上胴部３に着脱自在に取付けられることにより、股上胴部３を身体の腰元付近に締付け固定する手段、および、その締付け固定時に、帯体６の裏面側に線状ファスナ５の引手５５が潜り込む形態となることにより、引手５５のバタつきを防止する手段として機能する。
【００３５】
図１の雨合羽ズボン１では、線状ファスナ５の引手５５が表に露出しているので、例えばゴルフのスイング時など、激しい運動が行われるとき、引手５５がバタつき易いが、図２の雨合羽ズボン１では、引手５５は帯体６の裏面側に潜り込んでいるので、激しい運動が行われるときでも、引手５５のバタつきは生じないという利点がある。
【符号の説明】
【００３６】
１  雨合羽ズボン
２  ズボン本体
３  股上胴部
４  股下脚部
５  線状ファスナ
５１  ピン
５２  ボックス
５３  スライダ
５４  線状ファスナ務歯部
５５  引手
６  帯体
７  面ファスナ
Ｅ  線状ファスナの下端部
Ｕ  線状ファスナの上端部
Ｗ  最上部腰元
Ｆ  最下部足元
【図１】
2015074843.tif 000003
【図２】
2015074843.tif 000004
【図３】
2015074843.tif 000005
【図４】
2015074843.tif 000006
【手続補正書】
【提出日】平成26年12月25日(2014.12.25)
【手続補正１】
【補正対象書類名】明細書
【補正対象項目名】００１０
【補正方法】変更
【補正の内容】
【００１０】
前記目的を達成するため、本発明は、雨合羽のズボンであって、前記ズボンのズボン本体は、身体の腰元付近から股付近までを収容可能な筒状の股上胴部と、該股上胴部から二股に分岐して身体の脚部を収容可能な筒状の股下脚部と、を具備し、かつ、前記ズボン本体の左右外側面には、前記股上胴部の最上部腰元から前記股下脚部の最下部足元に達する線状ファスナが設けられていて、該線状ファスナの開操作により、前記最上部腰元から前記最下部足元までの全範囲が全開になっており、前記線状ファスナは、その下端部がピンとボックスにより分離可能に係合するオープンエンド構造、及び、１つのスライダにより線状ファスナ務歯部を開閉する構造になっており、前記股上胴部の両側には、前記線状ファスナと交差可能な帯体が設けられており、前記各帯体は、それぞれの一端部が前記股上胴部に固定され、それぞれの他端部が面ファスナを介して前記股上胴部に着脱自在に取付けられることにより、前記股上胴部を身体の腰元付近に締付け固定する手段、および、その締付け固定時に、前記帯体の裏面側に前記ファスナの引手が潜り込む形態となることにより、当該引手のバタつきを防止する手段として機能することを特徴とする。
【手続補正２】
【補正対象書類名】明細書
【補正対象項目名】００１１
【補正方法】削除
【補正の内容】
【手続補正３】
【補正対象書類名】明細書
【補正対象項目名】００１２
【補正方法】削除
【補正の内容】
【手続補正４】
【補正対象書類名】明細書
【補正対象項目名】００１５
【補正方法】変更
【補正の内容】
【００１５】
【図１】（ａ）は本発明の雨合羽のズボンの要部を説明するための斜視図、（ｂ）はそのズボンの着脱時の説明図。
【図２】（ａ）は本発明の雨合羽のズボンの斜視図、（ｂ）はそのズボンの着脱時の説明図。
【図３】（ａ）は図１（ａ）又は図２（ａ）の雨合羽のズボンで採用した線状ファスナの正面図、（ｂ）はその線状ファスナの下端部の拡大図（線状ファスナが開いた状態）。
【図４】図３（ａ）に示した線状ファスナとはその開閉構造が異なる別の線状ファスナの構造の説明図。
【手続補正５】
【補正対象書類名】明細書
【補正対象項目名】００１７
【補正方法】変更
【補正の内容】
【００１７】
図１（ａ）は本発明の雨合羽のズボンの要部を説明するための斜視図、同図（ｂ）はそのズボンの着脱時の説明図である。
【手続補正６】
【補正対象書類名】明細書
【補正対象項目名】００３２
【補正方法】変更
【補正の内容】
【００３２】
図２は、本発明の雨合羽のズボンの斜視図、同図（ｂ）はそのズボンの着脱時の説明図である。なお、この図２の雨合羽ズボン１において、図１の雨合羽ズボン１と同一の部材には同一の符号を付し、その詳細説明は省略する。
【手続補正７】
【補正対象書類名】特許請求の範囲
【補正対象項目名】全文
【補正方法】変更
【補正の内容】
【特許請求の範囲】
【請求項１】
雨合羽のズボンであって、
前記ズボンのズボン本体は、身体の腰元付近から股付近までを収容可能な筒状の股上胴部と、該股上胴部から二股に分岐して身体の脚部を収容可能な筒状の股下脚部と、を具備し、かつ、前記ズボン本体の左右外側面には、前記股上胴部の最上部腰元から前記股下脚部の最下部足元に達する線状ファスナが設けられていて、該線状ファスナの開操作により、前記最上部腰元から前記最下部足元までの全範囲が全開になっており、
前記線状ファスナは、その下端部がピンとボックスにより分離可能に係合するオープンエンド構造、及び、１つのスライダにより線状ファスナ務歯部を開閉する構造になっており、
前記股上胴部の両側には、前記線状ファスナと交差可能な帯体が設けられており、
前記各帯体は、それぞれの一端部が前記股上胴部に固定され、それぞれの他端部が面ファスナを介して前記股上胴部に着脱自在に取付けられることにより、前記股上胴部を身体の腰元付近に締付け固定する手段、および、その締付け固定時に、前記帯体の裏面側に前記ファスナの引手が潜り込む形態となることにより、当該引手のバタつきを防止する手段として機能すること
を特徴とする雨合羽のズボン。